(57)【要約】【課題】遠心式送風機において駆動源の作動時における騒音及び振動の低減を図る。【解決手段】遠心式送風機１０を構成するケーシング１８には、ファン１４の外周側に形成された対数螺旋状のスクロール壁２２を有し、前記スクロール壁２２と前記ファン１４との間には空気の流れる吐出通路１６が形成されると共に、内周側に形成されたスクロール内周壁２６と、該スクロール内周壁２６の巻き終わり２６ｂに接続されるスクロール外周壁２８とを有している。これにより、スクロール壁２２及び吐出通路１６の長さを、従来の遠心式送風機に対して長く形成することが可能となる。【選択図】図１
2017160848.tif 000002
【特許請求の範囲】
【請求項１】
渦巻状の通路を内部に有したケーシングと、該ケーシング内に回転自在に収納されたファンと、前記ファンを回転させる駆動源とを有し、前記通路の外周側に吐出口へ向かって対数螺旋状に半径の変化するスクロール壁を備えた遠心式送風機において、
前記スクロール壁は、前記ケーシングの外壁を構成する外周壁と、
前記外周壁の内側に形成され、その巻き終わりが前記外周壁の巻き始めに接続された内周壁と、
からなり、
前記内周壁と前記外周壁とが連続的に形成されることを特徴とする遠心式送風機。
【発明の詳細な説明】
【技術分野】
【０００１】
本発明は遠心式送風機に関し、一層詳細には、車両に搭載される空調装置に使用する遠心式送風機に関する。
【背景技術】
【０００２】
従来から、車両用空調装置には、車室内空気又は車室外空気を取り込むファンと、前記ファンを回転させるモータと、前記ファンを囲繞するケーシングとから構成される遠心式送風機が採用されている。
【０００３】
この遠心式送風機は、例えば、特許文献１に開示されるように、スクロール壁に囲まれたケーシングの内部に送風ファンが収納され、該送風ファンの外周側に沿って渦巻状の通路が形成される。そして、モータが駆動することで送風ファンが回転し、ケーシングにおけるベルマウスの開口部から内部へと空気が取り込まれた後、渦巻状の通路に沿って流通する。
【先行技術文献】
【特許文献】
【０００４】
【特許文献１】特開２００１−２７７８３４号公報
【発明の概要】
【発明が解決しようとする課題】
【０００５】
近年、上述したような遠心式送風機では小型軽量化が要求されており、これによりスクロール壁が薄肉化される傾向にあり、送風ファンの作動音が外部へと漏れやすく騒音や振動の増加を招くという問題がある。
【０００６】
また、小型軽量化を図る場合でも要求される送風性能は変わらないため、送風機の出力を増加させ流速を高める設定としているが、これによっても前記送風機の作動音が大きくなり騒音や振動の悪化を招くこととなる。
【０００７】
本発明は、前記の課題を考慮してなされたものであり、駆動源の作動時における騒音及び振動の低減を図ることが可能な遠心式送風機を提供することを目的とする。
【課題を解決するための手段】
【０００８】
前記の目的を達成するために、本発明は、渦巻状の通路を内部に有したケーシングと、ケーシング内に回転自在に収納されたファンと、ファンを回転させる駆動源とを有し、通路の外周側に吐出口へ向かって対数螺旋状に半径の変化するスクロール壁を備えた遠心式送風機において、
スクロール壁は、ケーシングの外壁を構成する外周壁と、
外周壁の内側に形成され、その巻き終わりが外周壁の巻き始めに接続された内周壁と、
からなり、
内周壁と外周壁とが連続的に形成されることを特徴とする。
【０００９】
本発明によれば、遠心式送風機を構成するケーシングにおいて、吐出口に向かって対数螺旋状に半径の変化するスクロール壁が、ケーシングの外壁を構成する外周壁と、外周壁の内側に形成され、その巻き終わりが外周壁の巻き始めに接続された内周壁とから構成される。
【００１０】
従って、従来の遠心式送風機と比較し、ファンから吐出口まで延在する通路長さを長く形成することができると共に、スクロール壁の巻き始めから巻き終わりまでの巻き角に対する通路の断面積変化を小さくすることができる。その結果、通路に沿って流れる空気の流れを安定させることができるため、流れの乱れに起因してファン近傍で生じる騒音及び振動を低減させることができる。また、スクロール壁を外周壁と内周壁とから２重構造としているため、ファンの回転に伴って放射される放射音を好適に遮断及び減衰することができ、騒音のさらなる低減を図ることができる。
【発明の効果】
【００１１】
本発明によれば、以下の効果が得られる。
【００１２】
すなわち、遠心式送風機を構成するケーシングにおいて、吐出口に向かって対数螺旋状に半径の変化するスクロール壁を、ケーシングの外壁を構成する外周壁と、外周壁の内側に形成され、その巻き終わりが外周壁の巻き始めに接続された内周壁とから構成することで、従来の遠心式送風機と比較し、ファンから吐出口まで延在する通路長さを長く形成することができ、しかも、スクロール壁の巻き始めから巻き終わりまでの巻き角に対する通路の断面積変化を小さくすることができる。その結果、通路に沿って流れる空気の流れを安定させることができ、流れの乱れに起因してファン近傍で生じる騒音及び振動を低減させることができる。また、スクロール壁を外周壁と内周壁とから２重構造としているため、ファンの回転に伴って放射される放射音を遮断でき、騒音のさらなる低減を図ることができる。
【図面の簡単な説明】
【００１３】
【図１】図１Ａは、本発明の実施の形態に係る遠心式送風機の全体断面図であり、図１Ｂは、スクロール壁の半径と巻き角との関係を示す特性線図である。
【発明を実施するための形態】
【００１４】
本発明に係る遠心式送風機について好適な実施の形態を挙げ、添付の図面を参照しながら以下詳細に説明する。図１において、参照符号１０は、本発明の実施の形態に係る遠心式送風機を示す。
【００１５】
この遠心式送風機１０は、図１Ａに示されるように、通電作用下に回転駆動するモータ（駆動源）１２と、該モータ１２の駆動作用下に回転駆動するファン１４と、該ファン１４の外周を囲繞するように設けられ、空気が流通する渦巻状の吐出通路１６を有したケーシング１８とを備える。
【００１６】
モータ１２は、例えば、ケーシング１８の略中央下部に設けられ、その回転軸２０が前記ケーシング１８内へ突出するように固定されている。そして、回転軸２０は、ファン１４の中心部に対して連結され、モータ１２の駆動作用下にファン１４が一体的に回転する。
【００１７】
ケーシング１８は、例えば、ファン１４の外周側を囲繞するように形成されたスクロール壁２２と、前記スクロール壁２２の巻き終わりから接線方向に向かって延在した直線部２４とを備える。
【００１８】
このスクロール壁２２は、内側に形成されるスクロール内周壁（内周壁）２６と、該スクロール内周壁２６の外側に形成されたスクロール外周壁（外周壁）２８とを有する。換言すれば、スクロール外周壁２８がケーシング１８の外壁を構成し、その内部にスクロール内周壁２６が形成される。
【００１９】
このスクロール内周壁２６は、その巻き始め２６ａが最もファン１４の外周側に近接した位置となり、該巻き始め２６ａから反時計回りで巻き終わり２６ｂまで対数螺旋状に形成され、直線部２４近傍においてスクロール外周壁２８の巻き始め２８ａと接続されている。
【００２０】
スクロール外周壁２８は、スクロール内周壁２６と同様に反時計回りで対数螺旋状に形成され、その巻き始め２８ａがスクロール内周壁２６の巻き終わり２６ｂと連続するように接続されると共に、前記スクロール内周壁２６の巻き始め２６ａから巻き終わり２６ｂまでの外周側を覆うように形成される。
【００２１】
すなわち、スクロール壁２２は、スクロール外周壁２８の内側にスクロール内周壁２６の設けられた２重構造となっている。
【００２２】
このスクロール内周壁２６とスクロール外周壁２８とから構成されるスクロール壁２２の巻き角θ（スクロール内周壁２６の巻き始め２６ａからスクロール外周壁２８の巻き終わり２８ｂまで）は、従来の遠心式送風機と比較し、前記スクロール内周壁２６の分だけ大きくなり、例えば、約１．５〜２倍となるように設定される。
【００２３】
一方、スクロール内周壁２６及びスクロール外周壁２８の内部には、ファン１４との間に空気の吐出される吐出通路１６が形成され、その通路断面積は、スクロール内周壁２６の巻き始め２６ａからスクロール外周壁２８の巻き終わり２８ｂに向かって連続的に増加するように形成される。
【００２４】
そして、吐出通路１６は、直線部２４の端部に開口した吐出口３０と連通し、内部を流れてきた空気が前記吐出口３０から外部へと吐出される。
【００２５】
本発明の実施の形態に係る遠心式送風機１０は、基本的には以上のように構成されるものであり、次にその動作並びに作用効果について説明する。
【００２６】
先ず、図示しないコントローラからの制御信号に基づきモータ１２が回転駆動し、ファン１４が一体的に回転することで、ケーシング１８に開口した図示しない取入口から前記ファン１４の内側へと空気が吸い込まれる。
【００２７】
そして、ファン１４の内側へと取り込まれた空気が外周側の吐出通路１６へと送出され、吐出通路１６におけるスクロール内周壁２６の内側に沿って反時計回りに流れて巻き終わり２６ｂまで到達した後、スクロール外周壁２８とスクロール内周壁２６との間の吐出通路１６に沿って流れ、直線部２４に開口した吐出口３０から外部へと吐出される。
【００２８】
以上のように、本実施の形態では、遠心式送風機１０を構成するケーシング１８において、スクロール外周壁２８とファン１４との間にスクロール内周壁２６を設け、該スクロール外周壁２８の巻き始め２８ａと接続することで、スクロール壁２２の巻き角θを従来の遠心式送風機と比較して大きく設定している。
【００２９】
これにより、従来の遠心式送風機と比較し、遠心式送風機１０のファン１４から吐出口３０まで延在する吐出通路１６を長く形成することができ、しかも、図１Ｂから諒解されるように、スクロール壁２２の巻き角θに対する該スクロール壁２２の半径（回転軸２０からスクロール壁２２までの距離）変化Ｌ１（実線参照）が、従来の遠心式送風機の半径変化Ｌ２（破線参照）と比較して緩やかとなる。
【００３０】
そのため、同一のスクロール壁２２の半径変化で比較した場合、従来の遠心式送風機よりも吐出通路１６の通路断面積の変化を小さくすることができ、前記吐出通路１６に沿って流れる空気の流れを安定させることができる。その結果、吐出通路１６を流れる空気の流れが乱れることが抑制され、それに伴って、該乱れに起因してファン１４近傍で発生する騒音や振動の低減を図ることができる。
【００３１】
また、スクロール壁２２がスクロール外周壁２８とスクロール内周壁２６とから２重構造となっているため、遠心式送風機１０が作動した際にファン１４から放射される音を好適に遮断及び減衰することができ、騒音のさらなる低減を図ることができる。
【００３２】
なお、本発明に係る遠心式送風機は、上述の実施の形態に限らず、本発明の要旨を逸脱することなく、種々の構成を採り得ることはもちろんである。
【符号の説明】
【００３３】
１０…遠心式送風機                  １２…モータ
１４…ファン                        １６…吐出通路
１８…ケーシング                    ２０…回転軸
２２…スクロール壁                  ２４…直線部
２６…スクロール内周壁              ２６ａ、２８ａ…巻き始め
２６ｂ、２８ｂ…巻き終わり          ２８…スクロール外周壁
【図１】
2017160848.tif 000003